(57)【要約】【課題】  装置本体を吊りボルトに固定するための施工作業を容易にした照明装置及び昇降装置付き照明装置を提供する。【解決手段】  光源１１を有する照明器具１０と、照明器具１０を収納すると共に吊りボルト４０により設置される装置本体２０と、装置本体外側面に外方に突出して回動可能に設けられると共に吊りボルト４０を挿通する切欠き孔２１ｆを形成した取付部材２１ｅとを具備する構成とする。【選択図】        図５
2007087626.tif 000002
【特許請求の範囲】
【請求項１】
光源を有する照明器具と；
照明器具を収納すると共に吊りボルトにより設置される装置本体と；
装置本体外側面に外方に突出して回動可能に設けられると共に吊りボルトを挿通する切欠き孔を形成した取付部材と；
を具備することを特徴とする照明装置。
【請求項２】
光源及び光源を点灯する安定器を有する照明器具と；
照明器具を昇降させる昇降装置と；
昇降装置により照明器具を収納すると共に吊りボルトにより設置される装置本体と；
装置本体外側面に外方に突出して回動可能に設けられると共に吊りボルトを挿通する切欠き孔を形成した取付部材と；
を具備することを特徴とする昇降装置付き照明装置。
【請求項３】
前記取付部材の切欠き孔は、一端が開放した長孔で構成したことを特徴とする請求項１または２に記載の照明装置及び昇降装置付き照明装置。
【請求項４】
前記取付部材は、装置本体外側面に略水平に外方に突出して設けられ、略水平の位置から上方への移動を阻止する阻止部材及び吊りボルトの外方に向かう移動を阻止するストッパーを設けたことを特徴とする請求項１ないし３いずれか一に記載の照明装置及び昇降装置付き照明装置。
【請求項５】
前記取付部材は、略水平に外方に突出する位置に保持する保持部材を設けたことを特徴とする請求項１ないし４いずれか一に記載の照明装置及び昇降装置付き照明装置。
【発明の詳細な説明】
【技術分野】
【０００１】
本発明は、ダウンライト等の天井などに設置される照明装置及び昇降装置付き照明装置に関する。
【背景技術】
【０００２】
この種の照明装置は、ダウンライト形の照明装置としてスポット的な照明効果を演出することができると共に、器具自体が天井裏に収納され、外観、意匠的にも優れており、各種の店舗、オフィス、エントランスホール等、あらゆる場所に設置され一段と普及が進んでいる。
【０００３】
特に、多目的ホール等、吹き抜けのある高天井に設置されることも多く、高天井に設置されるダウンライト形の照明装置の場合には、ランプ交換等、メンテナンスの面から昇降装置付きの照明装置が多用されている（例えば、特許文献1参照）。
【０００４】
一方、この昇降装置付き照明装置においては、従来光源としてＨＩＤランプを用い安定器を昇降装置側に設置して、照明器具側のランプを点灯していたが、近年、蛍光ランプが小形、高出力化し、また安定器も小形化されてきていることなどから、光源として従来のＨＩＤランプに代えてコンパクト形蛍光ランプを複数本用い、安定器も照明器具側に備えたものが設置されるようになっている。
【特許文献１】特開平１１−３９９２８号公報
【発明の開示】
【発明が解決しようとする課題】
【０００５】
しかしながら、この種の安定器を照明器具側に備えたものにおいては、安定器が器具の上方に突出して設けられるため、器具全体の高さ寸法がますます高くなる傾向にあり、例えば、特許文献１の図１に示されるような、吊りボルトを装置本体の天板に固定する方式では天板に挿通した吊りボルトに、下方からナットを締め付けて固定する作業が天井裏に近づいてしまう。換言すれば、ナットを締め付ける部分が設置作業を行う天井取付孔の位置から、ますます遠くなり作業者の手が届き難くなって、装置本体を吊りボルトに固定するための施工がし難くなる問題が生じる。
【０００６】
この問題は、昇降装置を有さないダウンライト形の照明装置でも同様、器具の高さが高くなることから手が器具の天板に届き難くなって、施工がし難くなる問題も生じる。
【０００７】
本発明は、上述した問題、課題を解決することを目的とし、装置本体を吊りボルトに固定するための施工作業を容易にした照明装置及び昇降装置付き照明装置を提供しようとするものである。
【課題を解決するための手段】
【０００８】
請求項１に記載の照明装置の発明は、光源を有する照明器具と；照明器具を収納すると共に吊りボルトにより設置される装置本体と；装置本体外側面に外方に突出して回動可能に設けられると共に吊りボルトを挿通する切欠き孔を形成した取付部材と；を具備することを特徴とする。
【０００９】
請求項１の発明によれば、装置本体外側面に外方に突出して回動可能に設けられると共に吊りボルトを挿通する切欠き孔を形成した取付部材により、施工作業を容易にした照明装置が構成される。
【００１０】
本発明の照明器具は、昇降装置付きの照明装置でも、また昇降装置を有さない照明装置であってもよい。
【００１１】
光源は、コンパクト形蛍光ランプや電球形蛍光ランプ等の蛍光ランプが好適であるが、メタルハライドランプや水銀灯などの高圧放電ランプ、さらには白熱電球などでもよく、特定のランプには限定されない。
【００１２】
取付部材は、装置本体外側面に外方に突出して設けられるが、外方に突出する位置は、装置本体外側面の高さ方向の略中間部分に設けても、装置本体外側面の下方、若しくは上方部分に設けてもよい。
【００１３】
取付部材は、回動可能に設けるが、回動される範囲は、例えば、略水平の位置から略９０度の角度にわたり回動して、取付部材が装置本体外側面から突出させないようにすることが好ましいが、多少突出していてもよく、要は、切欠き孔に吊りボルトを挿通する際に、支障とならない範囲で取付部材が装置本体外側面から突出しているもの。さらには装置本体を天井取付孔に下方から挿入する際に支障とならない範囲で突出しているものも許容する。
【００１４】
また回動する方向も特に限定されず、例えば、略水平の位置から上方に所定の角度回動するようにしても、または下方に所定の角度回動するようにしてもよい。さらには左右方向に回動させるようにしてもよい。
【００１５】
吊りボルトを挿通する切欠き孔は、一端が開放した長孔で構成することが好ましいが、長孔でなく半円形の孔、四角形の孔等でもよく、孔の形状は特定の形状に限定されない。
【００１６】
請求項２に記載の昇降装置付き照明装置の発明は、光源及び光源を点灯する安定器を有する照明器具と；照明器具を昇降させる昇降装置と；昇降装置により照明器具を収納すると共に吊りボルトにより設置される装置本体と；装置本体外側面に外方に突出して回動可能に設けられると共に吊りボルトを挿通する切欠き孔を形成した取付部材と；を具備することを特徴とする。
【００１７】
請求項２の発明によれば、装置本体外側面に外方に突出して回動可能に設けられると共に吊りボルトを挿通する切欠き孔を形成した取付部材により、施工作業を容易にした昇降装置付き照明装置が構成される。
【００１８】
本発明は、安定器を光源に対して縦方向に配置し、高さを高くした照明器具に適用すると効果的であるが、配置方向は特に限定されず、安定器を光源の横方向に配置した構成も許容される。
【００１９】
請求項３に記載の発明は、請求項１または２に記載の照明装置及び昇降装置付き照明装置において、前記取付部材の切欠き孔は、一端が開放した長孔で構成したことを特徴とする。
【００２０】
請求項４に記載の発明は、請求項１ないし３いずれか一に記載の照明装置及び昇降装置付き照明装置において、前記取付部材は、装置本体外側面に略水平に外方に突出して設けられ、略水平の位置から上方への移動を阻止する阻止部材及び吊りボルトの外方に向かう移動を阻止するストッパーを設けたことを特徴とする。
【００２１】
取付部材は、装置本体外側面に略水平に外方に突出して設けられるが、幾何学的に完全に水平にする必要はなく、やや上方または下方に傾斜していてもよく、要は吊りボルトにより設置される装置本体の機能に支障を来さない程度に、実質的に略水平に設けられていればよい。
【００２２】
略水平の位置から上方への移動を阻止する阻止部材は、上方への移動を完全に阻止することが好ましいが、吊りボルトの締め付けにより取付部材が変形し、装置本体の機能に支障を来さない程度の範囲内で、多少上方へ移動するものも許容される。
【００２３】
吊りボルトの外方に向かう移動を阻止するストッパーは、移動を完全に停止させることが好ましいが、吊りボルトの締め付けにより取付部材が変形し、装置本体の機能に支障を来さない程度の範囲内で、多少外方へ移動するものも許容される。
【００２４】
阻止部材及びストッパーは、取付部材に一体に形成することが好ましいが、別体に構成したものを取付部材に固定して形成するようにしてもよい。
【００２５】
また、単一の阻止部材及びストッパーでなく、それぞれ複数の阻止部材及びストッパーで構成してもよい。
【００２６】
請求項５に記載の発明は、請求項１ないし４いずれか一に記載の照明装置及び昇降装置付き照明装置において、前記取付部材は、略水平に外方に突出する位置に保持する保持部材を設けたことを特徴とする。
【００２７】
保持部材は、取付部材に一体に形成しても、別体に構成したものを取付部材に固定して設けるようにしてもよい。
【００２８】
また、単一の保持部材でなく、複数の保持部材で構成してもよい。
【発明の効果】
【００２９】
請求項１の発明によれば、装置本体外側面に外方に突出して回動可能に設けられると共に吊りボルトを挿通する切欠き孔を形成した取付部材により、装置本体を吊りボルトに固定するための施工作業を容易にした照明装置を提供することができる。
【００３０】
請求項２の発明によれば、装置本体外側面に外方に突出して回動可能に設けられると共に吊りボルトを挿通する切欠き孔を形成した取付部材により、装置本体を吊りボルトに固定するための施工作業を容易にした昇降装置付き照明装置を提供することができる。
【００３１】
請求項３の発明によれば、取付部材の切欠き孔は、一端が開放した長孔で構成したので、装置本体を吊りボルトに固定するための施工作業をより一層容易にし、かつ吊りボルトと天井取付孔の位置ずれを調整して、装置本体が変形することを防止することが可能な照明装置及び昇降装置付き照明装置を提供することができる。
【００３２】
請求項４の発明によれば、取付部材は、略水平の位置から上方への移動を阻止する阻止部材及び吊りボルトの外方に向かう移動を阻止するストッパーを設けたので、装置本体を吊りボルトに固定するための施工作業を一層容易にし、かつ吊りボルト及びナットの締めすぎを防止して確実に設置することが可能な照明装置及び昇降装置付き照明装置を提供することができる。
【００３３】
請求項５の発明によれば、取付部材は、略水平に外方に突出する位置に保持する保持部材を設けたので、吊りボルトへのナットの締め付け作業の際に、取付部材の下方への垂れ下がり防止することができ、装置本体を吊りボルトに固定するための施工作業を一層容易にした照明装置及び昇降装置付き照明装置を提供することができる。
【発明を実施するための最良の形態】
【００３４】
以下、本発明の照明装置及び昇降装置付き照明装置の実施形態につき説明する。
【実施例１】
【００３５】
本実施例は、ダウンライト形の昇降装置付き照明装置を構成したもので、図１〜図９に従いその構成を説明する。
【００３６】
まず、昇降装置付き照明装置を構成する照明器具の構成を図１〜図２に従い説明する。
【００３７】
１０は照明器具で、光源１１、光源を点灯するための安定器１２、安定器を収納する安定器収納体１３及び安定器収納体の下端部に設けられた反射鏡１４で構成する。
【００３８】
光源１１は、同一仕様の公知のコンパクト形蛍光ランプ３個で構成し、例えば，型名ＦＨＴ４２ＥＸ−Ｎ、定格電力４２Ｗのコンパクト形蛍光ランプ（以下単に「ランプ」と称す）で構成する。
【００３９】
安定器１２は、３個のランプ１１に各々対応した１灯用の安定器で、ランプを点灯及び調光するためのインバータ等からなる電子安定器で構成し、各安定器は縦に長い直方体の金属ケース１２ａを有している。
【００４０】
安定器収納体１３は、鉄、ステンレスやアルミニウム等の金属で構成した上端及び下端を開放した円筒状の本体ケース１３ａと、上端開放部に設けられた上蓋体１３ｂ及び下端開放部に設けられた下蓋体１３ｃで構成する。
【００４１】
上蓋体１３ｂは、鉄、ステンレスやアルミニウム等の金属で構成し、円筒状の本体ケース１３ａの上端開放部に嵌合してネジ等で固定する。また、その上面には支持板１３ｅを一体に取付ける。
【００４２】
下蓋体１３ｃも、鉄、ステンレスやアルミニウム等の金属で構成し、円筒状の本体ケース１３ａの下端開放部に嵌合してネジ等で固定する。また、その下面に開口部１３ｇを形成する。
【００４３】
本体ケース１３ａの外側面には、円周方向に略沿う複数の長孔からなる第１の放熱孔１３ｈを形成すると共に、下方外側面に第２の放熱孔１３ｉを形成する。
【００４４】
円筒状をなす安定器収納体１３の内部には、第１の遮熱板１３ｊ及び第１の遮熱板と間隔を有して第２の遮熱板１３ｋを設ける。
【００４５】
第１、第２の遮熱板１３ｊ、１３ｋは、鉄、ステンレスやアルミニウム等の金属で円板状に形成し、同じく金属で構成した支柱１３ｌにネジ止め等をして、両者が所定の間隔を有するように構成する。
【００４６】
上記のように支持された第１の遮熱板１３ｊの上面には、３枚の支持板１３ｍを取付け、この支持板１３ｍに、３個の安定器１２を１個ずつ取付ける（図２）。
【００４７】
安定器１２の二次側配線は金属ケース１２ａの下方から導出し、後述するランプソケットへ接続する。
【００４８】
また、安定器１２の一次側配線は金属ケース１２ａの上方から導出し、後述する昇降装置の昇降部と接続される。
【００４９】
円板状をなす第２の遮熱板１３ｋの下面には、ランプ１１のソケット１１ａをネジ止め等の手段で固定する。ソケット１１ａはコンパクト形蛍光ランプ用の公知のソケットで構成する。
【００５０】
安定器収納体１３の下端部に位置する下蓋体１３ｃの開口部１３ｇには、ランプ１１の光を制御する反射鏡１４を取付ける。
【００５１】
反射鏡１４は、ステンレスやアルミニウム等の金属で、内面が回転放物面等をなす反射面が形成されるようにすり鉢状に構成し、底面に上記ソケット１１ａに面して３個の貫通孔を形成し、この貫通孔を介して３個のランプ１１が、１個ずつそれぞれのソケット１１ａに着脱可能に装着されるように構成する。
【００５２】
これにより、３個の安定器１２が３個のランプ１１に対して、上方に縦方向に配置され、径方向に嵩張らない縦長の照明器具１０が構成される。
【００５３】
次に、上記に構成した照明器具を組み込む照明装置本体の構成を図３〜図５に従い説明する。
【００５４】
２０は照明装置本体で、装置本体２１と、照明器具１０を装置本体内に収納するための昇降装置２２で構成する。
【００５５】
装置本体２１は、リング状をなす略円板状の天板２１ａと、開口部を有し円形リング状をなす下枠２１ｂと、天板及び下枠の略中間に位置する中枠２１ｃ、及びこれら天板、下枠、中枠をネジ止め等の手段で連結し、１８０度の角度で対向して配置された一対２本の支柱２１ｄ、２１ｄで、全体として開放部を広く形成した円筒状の枠体をなすように構成する。
【００５６】
これら、装置本体２１を構成する天板２１ａ、中枠２１ｃ及び支柱２１ｄ、２１ｄは、鉄、ステンレスやアルミニウム等の金属で構成する。
【００５７】
下枠２１ｂは、装置本体２１を構成する枠体であると共に、縦断面がＬ字のリング状をなす形状に構成し、後述する天井３０に設置した際に、Ｌ字の下面部分が天井取付孔３０ａの切り口部に合致するように構成し、ギザギザとなって開けられた天井取付孔の開口縁部を覆い隠し、外観、意匠的に見栄えをよくする化粧枠としての機能を果すもので、合成樹脂等で一体成形により構成する。
【００５８】
天板２１ａの上面に昇降装置２２を取付け、昇降装置の下面に昇降部２２ａを出し入れ可能に設置する。昇降部２２ａは内蔵されたモータの正逆回転による２本のワイヤーロープ２２ｂ、２２ｂの巻き上げ、巻き戻しにより昇降される。
【００５９】
昇降部２２ａには、照明装置本体２０の天井への施工時に、照明器具１０の安定器収納体１３の支持板１３ｅが連結され、ワイヤーロープ２２ｂ、２２ｂの巻き上げ操作によって、昇降部２２ａと共に照明器具全体を上昇させ、照明器具１０が円筒状の枠体をなす装置本体２１内に収納されるように構成される。
【００６０】
さらに、中間に位置する中枠２１ｃには、直径方向に対向して中枠と同様の金属で構成した一対の取付部材２１ｅを設ける。
【００６１】
取付部材２１ｅが装置本体２１の天板ではなく装置本体２１の略中間に位置する中枠２１ｃに設けられているので、後述する吊りボルト４０との連結作業が比較的低い、手の届く位置で行うことができる。
【００６２】
また、装置本体２１の設置の際、両端に２個ある吊りボルト４０の締め具合によっては、装置本体２１が水平から傾いてしまうことがあるが、装置本体２１の中間ではなく、下部で吊りボルト４０との連結を行う構成にすると上部が大きく傾き、上部で吊りボルト４０との連結を行う構成にすると下部が大きく傾く問題が生じるが、中間で吊りボルト４０との連結を行えば、上部及び下部の傾きが抑制される。
【００６３】
取付部材２１ｅは、装置本体２１を天井のスラブ等に固定した吊りボルト４０に固定するための切欠き孔２１ｆを形成した取付片２１ｇで構成し、切欠き孔２１ｆは一端を開放した長孔で構成する（図４（ｂ））。
【００６４】
長孔の寸法は、取付部材２１ｅの強度を保持できるように、吊りボルトが挿通できる最小限の寸法に構成する。
【００６５】
図４（ｂ）に示すように、取付片２１ｇは、一端を中枠２１ｃに軸２１ｈにより回動可能に支持する。
【００６６】
すなわち、中枠２１ｃに、取付片２１ｇの両側に位置して２個の切欠き孔２１ｃ１を形成することにより２個の支持片２１ｃ２を内側に折り曲げて形成し、この支持片に軸２１ｈを通して回動可能に支持して構成する。
【００６７】
取付片２１ｇは、軸２１ｈを中心に略水平の状態から中枠２１ｃの板面に沿った垂直までの、約９０度の角度範囲にわたり下方に回動できるように構成する。
【００６８】
これにより、取付部材２１ｅが装置本体２１の外側面に略水平に外方に突出するように回動可能に設けられる。
【００６９】
２１ｉは、取付片２１ｇが略水平の位置から上方への回動を阻止するための阻止部材となるストッパー片で、取付片２１ｇの回動軸２１ｈ側の縁部を一体に立ち上げて形成する。
【００７０】
２１ｊは、吊りボルト４０を長孔２１ｆに挿通して締め付けた際に、吊りボルトが外方に向かって移動することを阻止するためのストッパーで、取付片２１ｇの下面で、かつ長孔２１ｆの略中間に位置して、下方に一体に突出させて形成した一対のボスで構成する。
【００７１】
２１ｋは、回動可能に設けた取付片１２ｇを、略水平でかつ外方に突出する位置に保持する保持部材で、中枠２１ｃの支持片２１ｃ２の外面に形成した凸部と取付片２１ｇの内面に形成した凹部との係合作用によるロック機構で構成する。
【００７２】
図３及び図４において、２１ｍは、各支柱２１ｄの下端部に外方に突出して取付られた板バネで構成された支持片で、下枠２１ｂとの間で天井板を挟持して保持するためのものであり、支柱２１ｄに形成された長孔２１ｎに沿って上下に移動させることにより、天井板の厚さに応じて支柱から外方に突出する位置が調整できるようにしてある。
【００７３】
図示しないが、電源線は昇降装置２２にあらかじめ配線されており、照明器具１０が装置本体２１内に収納されて設置されることにより、昇降部２２ａを経由して照明器具１０のソケット１１ａが電源線に接続され、各ランプ１１に電力が供給される。
【００７４】
上記により照明器具１０が収納される照明装置本体２０が構成される。
【００７５】
次に、上記のように構成した照明器具１０及び照明装置本体２０により、ダウンライト形の昇降装置付き照明装置を構成し天井に設置する施工の手順を図５〜図８に従い説明する。
【００７６】
まず、図６に示すように、あらかじめ天井裏のスラブ等に、一対２本の吊りボルト４０を所定の間隔寸法をもって設置し吊り下げておく。
【００７７】
さらに、天井３０に照明装置本体２０を埋め込み設置するための円形の天井取付孔３０ａを穿設する。
【００７８】
天井取付孔３０ａの直径は、装置本体２１の下枠２１ｂのＬ字部分が切り口部に合致する寸法にする。
【００７９】
次に、中枠２１ｃに取付けられた取付部材２１ｅの取付片２１ｇを回動して中枠に沿った垂直の状態にし、取付片２１ｇが装置本体２１の側面から外方に突出させない状態にする（図５（ａ）及び図６）。
【００８０】
なお、取付片２１ｇを水平の状態にしたままでは、取付片が装置本体２１の側面から外方に突出して天井取付孔３０ａに引っ掛かり、装置本体２１が天井取付孔３０ａを挿通できない寸法関係に構成されている。
【００８１】
換言すれば、取付部材２１ｅの取付片２１ｇが装置本体２１の側面から外方に突出させないように回動できるように構成したので、天井取付孔３０ａの直径は、取付片２１ｇを装置本体２１の側面から外方に突出させた状態のものに比して小径の孔寸法で済む。
【００８２】
次に、装置本体２１を天井取付孔３０ａに下方から挿入し、下枠２１ｂを天井取付孔３０ａの切り口部に合致させ、支柱２１ｄ下端部の各支持片２１ｍが撓み、バネの弾性力で復帰することにより、下枠２１ｂとの間で天井板を挟持して保持する。
【００８３】
このとき、取付部材２１ｅとスラブに支持された吊りボルト４０の位置を合わせて保持させる。
【００８４】
この状態で、取付片２１ｇの長孔２１ｆの開放端を吊りボルト４０に合せ、長孔内にボルトが挿入されているか確認しながら、軸２１ｈを中心にして上方に回動し水平の状態にする（図５(a)→（ｂ）→（ｃ））。
【００８５】
この際、取付片２１ｇの、さらなる上方への回動はストッパー片２１ｉにより停止されると共に、取付片２１ｇはロック機構による保持部材２１ｋにより水平に保持されて仮止めされた状態になる。これにより、後工程である吊りボルト４０へのナット４１の締め付け作業の際に、取付片２１ｇの下方への垂れ下がりを手で押えておく必要がなくなる。
【００８６】
また、吊りボルト４０を挿通する孔が、切欠き孔でない単なる丸孔で形成されている場合には、吊りボルト４０の先端と小さな丸孔とを、狭い天井裏で位置合せしながら挿通する煩雑かつ困難な作業をしなければならない。
【００８７】
しかし、本実施例では吊りボルト４０を挿通する孔が切欠き孔、すなわち一端を開放した長孔２１ｆで形成されているため、吊りボルト４０の先端と小さな丸孔との位置合せを行うことなく、長孔２１ｆの開放端を吊りボルト４０に合せ、長孔内にボルトが挿入されているか確認しながら、軸２１ｈを中心にして取付片２１ｇを上方に回動する簡単な操作で行うことができる（図５（ｂ））。
【００８８】
次に、取付片２１ｇの長孔２１ｆ内に挿通された一対２本の吊りボルト４０を、上下に設けられたナット４１をねじ込んで固定する。これにより、装置本体２１の中間部分が吊りボルト４０に吊られた状態で固定される。
【００８９】
この際、吊りボルト４０と天井取付孔３０ａが多少ずれていた場合には、長孔２１ｆの長手寸法の範囲内で、装置本体２１を水平方向に移動させ、ずれを調整して支持する（図５（ｃ）実線矢印）。
【００９０】
これにより、装置本体２１は芯がずれて位置する吊りボルト４０に無理に支持固定されことがなく、円筒状の枠体をなす装置本体２１が変形することがなく設置される。また、装置本体２１の化粧枠となる下枠２１ｂと、天井面との間に隙間が形成されることもない。
【００９１】
また、ナット４１を吊りボルト４０にねじ込む際、ナットを締めすぎ、その締め付け力により取付片２１ｇが略水平の位置から上方へ移動、すなわち、上方に傾こうとしても阻止部材となるストッパー片２１ｉが、それ以上の回動を阻止する。
【００９２】
同時に、その締め付け力により取付片２１ｇが略水平の位置から上方に傾き、吊りボルトが傾きに沿って外方に移動しようとしても、ナット４１の側面が一対のボスで構成したストッパー２１ｊに当たり、吊りボルトの外方に向かう移動が阻止される（図５（ｃ））。
【００９３】
なお、ストッパー片２１ｉ及びストッパー２１ｊがない場合には、ナット４１を締め付けすぎると、その力で取付片２１ｇが上方へ傾き、その傾きに沿って吊りボルト４０が外方に向かって移動し、極端に締めすぎた場合には、ボルトが長孔２１ｆの開放端から外れる恐れがある。
【００９４】
また、片方のみ締めすぎると、装置本体２１が傾いて変形した状態で設置されてしまう。
【００９５】
これらストッパー片２１ｉ及びストッパー２１ｊにより、吊りボルト４０及びナット４１の締めすぎが確実に防止され、装置本体２１の変形が防止される。
【００９６】
また、本実施例の照明装置は、安定器１２を照明器具１０側に設置した縦長の照明器具１０を収納するために、装置本体２１の高さが高くなっており、吊りボルト４０を連結する場合に、従来の特許文献１に示されるように、装置本体２１の天板等で連結する方式の場合には、作業者の手が天板に届き難くなり施工がし難くなってしまう。
【００９７】
しかし、本実施例では取付部材２１ｅが装置本体２１の天板ではなく装置本体２１の略中間に位置する中枠２１ｃに設けられているので、吊りボルト４０との連結作業が比較的低い、手が充分に届く位置で行うことができる。
【００９８】
次に、図７に示すように、昇降装置２２のワイヤーロープ２２ｂを巻き戻して繰り出し、昇降部２２ａを床面４２に降ろす。
【００９９】
降ろした昇降部２２ａの底部と、あらかじめ床面に用意した照明器具１０の支持板１３ｅとの間に、連結棒４３をスプリング４４を介して２個のナット４５で上下から締め付けて連結し、照明器具１０と昇降部２２ａを一体化する。この際、照明器具１０の入力端子部と昇降部２２ａの接触端子部との電気配線を行う。
【０１００】
次に、昇降装置２２のワイヤーロープ２２ｂを巻き上げ、昇降部２２ａと共に照明器具１０全体を上昇させて、照明器具を円筒状の枠体をなす装置本体２１内に収納する（図８）。
【０１０１】
この際、装置本体２１は上記のように変形していないため、照明器具１０は装置本体２１の内面に引っ掛かることなく円滑に装置本体２１内に収納され、従来の特許文献１の図１１Ｂに示されるように、変形した装置本体２１に照明器具１０の反射鏡１４等が嵌り込んで昇降できなくなるようなことがない。
【０１０２】
昇降部２２ａが昇降装置２２に機械的にロックされると、昇降部２２ａの接触端子部が昇降装置２２の端子部と電気的に接続され、昇降装置２２にあらかじめ配線された電源線と照明器具１０のソケット１１ａが接続され、各ランプ１１に電力が供給される状態となる。
【０１０３】
以上により、反射鏡１４及びランプ１１を下方に向け、下方床面の照明を行えるようにしたダウンライト形の昇降装置付き照明装置が構成されて施工が完了し、電源を投入することによりランプが点灯され所定の照明を行うことができる。
【０１０４】
本実施例によれば、取付部材２１ｅが装置本体２１の天板ではなく装置本体２１の略中間に位置する中枠２１ｃに設けられているので、吊りボルト４０との連結作業が比較的低い、手の届く位置で行うことができ、施工作業が容易になる。
【０１０５】
また、装置本体２１の設置の際、両端に２個ある吊りボルト４０の締め具合によっては、装置本体２１が水平から傾いてしまうことがあるが、この場合装置本体２１の中間ではなく、下部で吊りボルト４０との連結を行う構成にすると上部が大きく傾き、上部で吊りボルト４０との連結を行う構成にすると下部が大きく傾く問題が生じるが、中間で吊りボルト４０との連結を行えば、上部及び下部の傾きが抑制され、装置本体２１の変形を極力抑えることが可能となる。
【０１０６】
さらに、取付部材２１ｅの切欠き孔は長孔２１ｆになっているので、吊りボルト４０と天井取付孔３０ａが多少ずれていても、長孔の長手寸法の範囲内で、位置ずれを調整して支持することができ、装置本体２１が変形して設置されることがない。
【０１０７】
これにより、装置本体２１の化粧枠となる下枠２１ｂと、天井面との間に隙間が形成されることがなく、照明装置として見栄えが悪くなることがない。
【０１０８】
吊りボルト４０を挿通する孔が、切欠き孔すなわち一端を開放した長孔２１ｆで形成されているため、吊りボルト４０の先端と小さな丸孔との位置合せを行うことなく、長孔２１ｆの開放端を吊りボルト４０に合せ、長孔内にボルトが挿入されているか確認しながら、取付片２１ｇを上方に回動する簡単な操作で行うことができ、より一層施工作業が容易となる。
【０１０９】
また、取付部材２１ｅの取付片２１ｇに形成した阻止部材となるストッパー片２１ｉ及び一対のボスで構成したストッパー２１ｊにより、吊りボルト４０及びナット４１の締めすぎが防止され、締めすぎによって装置本体２１が変形して設置されることがない。
【０１１０】
また、取付部材２１ｅの取付片２１ｇが回動できるように構成し、取付片２１ｇが装置本体２１の側面から外方に突出させないようにしたので、天井取付孔３０ａの直径は、取付片２１ｇを装置本体２１の側面から外方に突出させた状態のものに比して小径の孔寸法で済み、設置場所等、環境条件が厳しい場合にも、天井外観を損なうことがない。
【０１１１】
取付片２１ｇは保持部材２１ｋにより水平に保持されて仮止めされた状態になり、吊りボルト４０へのナットの締め付け作業の際に、取付片２１ｇの下方への垂れ下がりを手で押えておく必要がなくなり、より一層施工作業が容易となる。
【０１１２】
本実施例において、昇降装置付き照明装置を構成したが、昇降装置を有さない通常のダウンライト形の照明装置を構成するようにしてもよい。
【０１１３】
昇降装置を有さない照明装置では、手作業で照明器具１０を持ち上げ、天井に設置された装置本体２１内に収納し設置する点が相違するのみで、照明装置本体２０の構成及び天井に設置する施工の手順、作用効果等は上述した実施例と同様である。
【０１１４】
本実施例において、取付部材２１ｅを装置本体２１の中間に位置する中枠２１ｃに設けたが、１８０度の角度で対向して配置された一対２本の支柱２１ｄ、２１ｄに設けてもよく、この場合、支柱は縦方向に延在しているので、設置条件等に合わせて支柱の下方さらには上方部分に取付部材２１ｅを設けるようにしてもよい。
【０１１５】
取付部材２１ｅは、中枠２１ｃに、取付片２１ｇの両側に位置して２個の切欠き孔２１ｃ１を形成することにより２個の支持片２１ｃ２を折り曲げて形成し、この支持片に軸２１ｈを通して回動可能に支持して構成したが、図９に示すように構成してもよい。
【０１１６】
すなわち、中枠２１ｃに取付片２１ｇが入る寸法の長方形の切欠き孔２１ｃ１'を１個形成し、この切欠き孔の形成により両側に対向して２個の支持片２１ｃ２'を折り曲げて形成する。
【０１１７】
２個の支持片２１ｃ２'の間に取付片２１ｇの軸側端部を挿入して、軸２１ｈにより軸支する。
【０１１８】
軸２１ｈは、棒状をなすピン軸２１ｈ１とピン軸が挿入されるスリーブ状の筒軸２１ｈ２とからなり、筒軸の両端を取付片２１ｇの後端両側の間に嵌合し、この状態でピン軸を筒軸内に通し、支持片２１ｃ２'の外面から突出したピン軸両端をＥリングで固定する。
【０１１９】
これにより、取付片２１ｇは、軸２１ｈを中心に略水平の状態から中枠２１ｃの板面に沿った垂直までの、約９０度の角度範囲にわたり下方に回動できるように構成される。
【０１２０】
図中２１ｉ'は、取付片２１ｇ後端両側の軸側端部を、それぞれ一体に折り曲げて形成した２個のストッパー片で、取付片２１ｇを水平にした際、２個のストッパー片が２個の支持片２１ｃ２'の後端面に当接し、取付片２１ｇが略水平の位置から上方へ回動することを阻止するための阻止部材の作用をなすものである。
【０１２１】
この２個のストッパー片２１ｉ'は、上述した取付片２１ｇの上縁部に形成したストッパー片２１ｉと共に、上方への回動を阻止する阻止部材の作用をなす。
【０１２２】
図９の構成によれば、取付片２１ｇを入れる切欠き孔２１ｃ１'は１個で済み、上記実施例にように、両側に２個形成する必要がなく、板材からなる中枠２１ｃの強度を大となすことができる。
【０１２３】
さらに、軸２１ｈは、棒状をなすピン軸２１ｈ１とピン軸が挿入されるスリーブ状の筒軸２１ｈ２で構成し、筒軸の両端を取付片２１ｇの後端両側の間に嵌合して支持するようにしたので、軸の強度を増すことができ、重量の重い照明器具でも、軸が変形することなく確実に支持することができる。
【０１２４】
取付片２１ｇが略水平の位置から上方への回動を阻止するための構成が、取付片２１ｇに一体に折り曲げて形成した２個のストッパー片中２１ｉ'と、取付片２１ｇの上縁部に形成したストッパー片２１ｉの両者で行うことができるため、ストッパー機構がより強固となり、一層確実に上方への回動を阻止することができ、これにより、取付部材２１ｅが傾いて取付けられることがなくなり、装置本体２１が変形して設置されることがない。
【０１２５】
以上、本発明の好適な実施形態を説明したが、本発明は上述の実施例に限定されることなく、本発明の要旨を逸脱しない範囲内において、種々の設計変更を行うことができる。
【図面の簡単な説明】
【０１２６】
【図１】本発明の実施形態における照明器具の正面図。
【図２】同じく安定器収納体の本体ケースを削除し一部を切り欠いて示す照明器具の正面図。
【図３】本発明の実施形態における装置本体の正面図。
【図４】同じく装置本体を示し、（ａ）は側面図、（ｂ）は取付部材を拡大して示す斜視図。
【図５】同じく取付部材を示すもので、（ａ）は取付片を垂直にした状態を示す側面図、（ｂ）は取付片を上方に回動した状態を、一部を切り欠いて示す側面図、（ｃ）は取付片を水平にした状態を、一部を切り欠いて示す側面図。
【図６】同じく装置本体を天井に設置する状態を示す説明図。
【図７】同じく照明器具を装置本体に設置する状態を示す説明図で、（ａ）は昇降部を降ろし照明器具と連結した状態を示す図、（ｂ）は（ａ）のＢ部を拡大して示す図。
【図８】本発明の実施形態における昇降装置付き照明装置を天井に設置した状態を示す正面図。
【図９】本発明の実施形態における取付部材の変形例を示し、（ａ）は取付部材の斜視図、（ｂ）は取付部材の軸部分を一部を切り欠いて示す説明図。
【符号の説明】
【０１２７】
１０  照明器具
１１  光源
１２  安定器
２１  装置本体
２１ｅ  取付部材
２１ｆ  切欠き孔
２２  昇降装置
４０  吊りボルト
【図１】
2007087626.tif 000003
【図２】
2007087626.tif 000004
【図３】
2007087626.tif 000005
【図４】
2007087626.tif 000006
【図５】
2007087626.tif 000007
【図６】
2007087626.tif 000008
【図７】
2007087626.tif 000009
【図８】
2007087626.tif 000010
【図９】
2007087626.tif 000011